【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
送信装置と、前記送信装置がユニキャストで送信する送信データの送信対象の受信装置との間で送受信される通信データを受信する通信部と、
受信された前記通信データの中から処理に用いるデータを判別するデータ判別部と、
処理に用いると判別されたデータを処理する処理部と、
を備え、
判別された前記データの処理を行う場合において、前記処理部は、前記送信装置および前記受信装置のいずれに対しても前記通信部に応答を行わせない、通信装置。
【請求項２】
前記データ判別部は、前記通信データに含まれるデータの種別を示す識別情報に基づいて、処理に用いるデータを判別する、請求項１に記載の通信装置。
【請求項３】
特定の装置または特定の装置群を示す装置指定情報が前記通信データに含まれる場合、
前記データ判別部は、自装置が前記装置指定情報が示す装置と合致するとき、または自装置が前記装置指定情報が示す装置群に含まれるときに、前記識別情報に基づいて処理に用いるデータを判別する、請求項２に記載の通信装置。
【請求項４】
前記データ判別部は、自装置が前記装置指定情報が示す装置と合致せず、自装置が前記装置指定情報が示す装置群に含まれないときには、前記識別情報に基づくデータの判別を行わない、請求項３に記載の通信装置。
【請求項５】
前記データ判別部は、画像および／または音声を示すコンテンツデータを判別し、
前記処理部は、判別されたコンテンツデータを再生させる、請求項１〜４のいずれか１項に記載の通信装置。
【請求項６】
前記処理部は、自装置の時間を示す時間情報を前記送信装置に対して送信させ、
前記通信部は、前記時間情報に基づき時間が調整された前記送信装置から送信される前記送信データを含む、前記通信データを受信し、
前記処理部は、前記送信装置との間における通信遅延時間を算出し、算出された前記通信遅延時間が経過した後に判別された前記データを処理する、請求項１〜５のいずれか１項に記載の通信装置。
【請求項７】
前記通信装置は、前記送信装置と自装置との間の通信環境が前記送信装置と前記受信装置との間の通信環境よりもよい位置に配置される、請求項１〜６のいずれか１項に記載の通信装置。
【請求項８】
前記送信装置から送信される前記送信データは、前記送信装置が他の送信装置から送信された送信データを受信し、受信した前記送信データを前記受信装置に再送信したデータである、請求項１〜５、７のいずれか１項に記載の通信装置。
【請求項９】
前記通信部は、前記他の送信装置から送信される、前記他の送信装置と前記送信データの送信対象の受信装置との間における通信遅延時間を示す通信遅延時間情報をさらに受信し、
前記処理部は、前記通信遅延時間情報が示す通信遅延時間が経過した後に判別された前記データを処理する、請求項８に記載の通信装置。
【請求項１０】
前記処理部は、前記通信遅延時間情報を用いるか否かが設定された遅延制御情報に基づいて、前記遅延制御情報が前記通信遅延時間情報を用いることを示す場合に、前記通信遅延時間が経過した後に判別された前記データを処理する、請求項９に記載の通信装置。
【請求項１１】
送信装置がユニキャストで送信する送信データを受信する通信部と、
受信した前記送信データの送信対象を判定する中継判定部と、
前記送信データの送信対象として自装置以外の装置が含まれている場合に、送信対象の装置に対して前記送信データを送信させる中継処理部と、
前記送信データの送信対象として自装置が含まれている場合に、受信された前記送信データの中から処理に用いるデータを判別するデータ判別部と、
処理に用いると判別されたデータを処理する処理部と、
を備える、受信装置。
【請求項１２】
前記送信データの送信対象として自装置以外の装置が含まれており、かつ前記送信データの送信対象として自装置が含まれている場合、
前記処理部は、前記送信対象の装置に対して前記送信データを送信するために要する中継遅延時間、および前記送信対象の装置との間における通信遅延時間が経過した後に判別された前記データを処理する、請求項１１に記載の受信装置。
【請求項１３】
前記処理部は、自装置の時間を示す時間情報を前記送信装置に対して送信させ、
前記通信部は、前記時間情報に基づき時間が調整された前記送信装置から送信される前記送信データを受信し、
前記送信データの送信対象として自装置以外の装置が含まれており、かつ前記送信データの送信対象として自装置が含まれている場合、
前記処理部は、
前記送信装置との間における通信遅延時間を算出し、
前記送信対象の装置に対して前記送信データを送信するために要する中継遅延時間、および算出された前記通信遅延時間が経過した後に判別された前記データを処理する、請求項１１に記載の受信装置。
【請求項１４】
送信装置と、前記送信装置がユニキャストで送信する送信データの送信対象の受信装置との間で送受信される通信データを受信するステップと、
受信された前記通信データの中から処理に用いるデータを判別するステップと、
処理に用いると判別されたデータを処理するステップと、
を有し、
判別された前記データの処理を行う場合には、前記送信装置および前記受信装置のいずれに対しても応答を行わない、通信方法。
【請求項１５】
送信装置がユニキャストで送信する送信データを受信するステップと、
受信した前記送信データの送信対象を判定するステップと、
前記送信データの送信対象として自装置以外の装置が含まれている場合に、送信対象の装置に対して前記送信データを送信させるステップと、
前記送信データの送信対象として自装置が含まれている場合に、受信された前記送信データの中から処理に用いるデータを判別するステップと、
処理に用いると判別されたデータを処理するステップと、
を有する、通信方法。
【請求項１６】
送信装置と、
前記送信装置がユニキャストで送信する送信データの送信対象の受信装置と、
前記送信装置と前記受信装置との間で送受信される通信データを受信する、１または２以上の通信装置と、
を有し、
前記通信装置それぞれは、
前記通信データを受信する通信部と、
受信された前記通信データの中から処理に用いるデータを判別するデータ判別部と、
処理に用いると判別されたデータを処理する処理部と、
を備え、
判別された前記データの処理を行う場合において、前記処理部は、前記送信装置および前記受信装置のいずれに対しても前記通信部に応答を行わせない、通信システム。
【手続補正２】
【補正対象書類名】明細書
【補正対象項目名】００１１
【補正方法】変更
【補正の内容】
【００１１】
また、本開示によれば、送信装置と、上記送信装置がユニキャストで送信する送信データの送信対象の受信装置と、上記送信装置と上記受信装置との間で送受信される通信データを受信する、１または２以上の通信装置と、を有し、上記通信装置それぞれは、上記通信データを受信する通信部と、受信された上記通信データの中から処理に用いるデータを判別するデータ判別部と、処理に用いると判別されたデータを処理する処理部と、を備え、判別された上記データの処理を行う場合において、上記処理部は、上記送信装置および上記受信装置のいずれに対しても上記通信部に応答を行わせない、通信システムが提供される。
【手続補正３】
【補正対象書類名】明細書
【補正対象項目名】００３２
【補正方法】変更
【補正の内容】
【００３２】
また、通信装置３００は、処理に用いるデータの判別を行った後、処理に用いると判別されたデータを処理し、処理に用いると判別されないデータは処理しない。つまり、通信装置３００は、受信された通信データのうち、処理対象のとなる所定のデータを選択的に処理する。また、通信装置３００は、例えば、受信された通信データのうち処理対象のとなる所定のデータ以外のデータについては、破棄してもよい。さらに、通信装置３００は、本来宛先（送信先）が自装置ではない通信データに含まれる所定のデータを処理するので、通信装置３００は、判別されたデータの処理を行う場合において、送信装置１００および受信装置２００のいずれに対しても応答（例えばＡＣＫやＮＡＣＫ、処理結果などの送信）を行わない。
【手続補正４】
【補正対象書類名】明細書
【補正対象項目名】００８６
【補正方法】変更
【補正の内容】
【００８６】
受信装置２００は、表示開始時間（例えば、表示開始時刻）を指定し（Ｓ２００）、表示開始時間を観測するためのタイマーを起動する（Ｓ２０２）。ここで、受信装置２００は、例えば、送信装置１００から送信されるパケットやビーコンなどの受信に応じて、受信装置２００が備える記憶部（後述する）などの所定のアドレスに表示開始時間を示すデータを書き込むことにより行う。また、このとき、受信装置２００は、上記送信開始指示信号を送信装置１００に対して送信する撮像装置などの外部装置に対して、送信開始指示信号の送信を指示する命令を送信してもよい。
【手続補正５】
【補正対象書類名】明細書
【補正対象項目名】０１５６
【補正方法】変更
【補正の内容】
【０１５６】
通信インタフェース１６４は、送信装置１００が備える通信手段であり、ネットワークを介して（あるいは、直接的に）外部装置と無線で通信を行うための通信部１０２として機能する。ここで、通信インタフェース１６４としては、例えば、ＩＥＥＥ８０２．１１ｎポートおよび送受信回路や、通信アンテナおよびＲＦ（Radio  Frequency）回路などが挙げられる。なお、本実施形態に係る通信インタフェース１６４は、上記に限られない。例えば、通信インタフェース１６４は、例えば図２や図４に示すような無線通信ネットワークを構成することが可能な、任意の通信方式に対応するデバイスが挙げられる。
【手続補正６】
【補正対象書類名】明細書
【補正対象項目名】０１６７
【補正方法】変更
【補正の内容】
【０１６７】
受信装置２００は、例えば、通信部２０２と、制御部２０４と、操作部２０６と、表示部２０８とを備える。
【手続補正７】
【補正対象書類名】明細書
【補正対象項目名】０１９６
【補正方法】変更
【補正の内容】
【０１９６】
通信装置３００は、例えば、通信部３０２と、制御部３０４と、操作部３０６と、表示部３０８とを備える。
【手続補正８】
【補正対象書類名】明細書
【補正対象項目名】０２０２
【補正方法】変更
【補正の内容】
【０２０２】
通信部３０２は、通信装置３００が備える通信手段であり、ネットワークを介して（あるいは、直接的に）送信装置１００や受信装置２００などの外部装置と無線で通信を行う役目を果たす。ここで、通信部３０２としては、図１５に示す送信装置１００が備える通信部１０２や、図１７に示す受信装置２００が備える通信部２０２と対応する構成が挙げられる。
【手続補正９】
【補正対象書類名】明細書
【補正対象項目名】０２２６
【補正方法】変更
【補正の内容】
【０２２６】
なお、本技術は以下のような構成も取ることができる。
（１）
送信装置と、前記送信装置がユニキャストで送信する送信データの送信対象の受信装置との間で送受信される通信データを受信する通信部と、
受信された前記通信データの中から処理に用いるデータを判別するデータ判別部と、
処理に用いると判別されたデータを処理する処理部と、
を備え、
判別された前記データの処理を行う場合において、前記処理部は、前記送信装置および前記受信装置のいずれに対しても前記通信部に応答を行わせない、通信装置。
（２）
前記データ判別部は、前記通信データに含まれるデータの種別を示す識別情報に基づいて、処理に用いるデータを判別する、（１）に記載の通信装置。
（３）
特定の装置または特定の装置群を示す装置指定情報が前記通信データに含まれる場合、
前記データ判別部は、自装置が前記装置指定情報が示す装置と合致するとき、または自装置が前記装置指定情報が示す装置群に含まれるときに、前記識別情報に基づいて処理に用いるデータを判別する、（２）に記載の通信装置。
（４）
前記データ判別部は、自装置が前記装置指定情報が示す装置と合致せず、自装置が前記装置指定情報が示す装置群に含まれないときには、前記識別情報に基づくデータの判別を行わない、（３）に記載の通信装置。
（５）
前記データ判別部は、画像および／または音声を示すコンテンツデータを判別し、
前記処理部は、判別されたコンテンツデータを再生させる、（１）〜（４）のいずれか１つに記載の通信装置。
（６）
前記処理部は、自装置の時間を示す時間情報を前記送信装置に対して送信させ、
前記通信部は、前記時間情報に基づき時間が調整された前記送信装置から送信される前記送信データを含む、前記通信データを受信し、
前記処理部は、前記送信装置との間における通信遅延時間を算出し、算出された前記通信遅延時間が経過した後に判別された前記データを処理する、（１）〜（５）のいずれか１つに記載の通信装置。
（７）
前記通信装置は、前記送信装置と自装置との間の通信環境が前記送信装置と前記受信装置との間の通信環境よりもよい位置に配置される、（１）〜（６）のいずれか１つに記載の通信装置。
（８）
前記送信装置から送信される前記送信データは、前記送信装置が他の送信装置から送信された送信データを受信し、受信した前記送信データを前記受信装置に再送信したデータである、（１）〜（５）、（７）のいずれか１つに記載の通信装置。
（９）
前記通信部は、前記他の送信装置から送信される、前記他の送信装置と前記送信データの送信対象の受信装置との間における通信遅延時間を示す通信遅延時間情報をさらに受信し、
前記処理部は、前記通信遅延時間情報が示す通信遅延時間が経過した後に判別された前記データを処理する、（８）に記載の通信装置。
（１０）
前記処理部は、前記通信遅延時間情報を用いるか否かが設定された遅延制御情報に基づいて、前記遅延制御情報が前記通信遅延時間情報を用いることを示す場合に、前記通信遅延時間が経過した後に判別された前記データを処理する、（９）に記載の通信装置。
（１１）
送信装置がユニキャストで送信する送信データを受信する通信部と、
受信した前記送信データの送信対象を判定する中継判定部と、
前記送信データの送信対象として自装置以外の装置が含まれている場合に、送信対象の装置に対して前記送信データを送信させる中継処理部と、
前記送信データの送信対象として自装置が含まれている場合に、受信された前記送信データの中から処理に用いるデータを判別するデータ判別部と、
処理に用いると判別されたデータを処理する処理部と、
を備える、受信装置。
（１２）
前記送信データの送信対象として自装置以外の装置が含まれており、かつ前記送信データの送信対象として自装置が含まれている場合、
前記処理部は、前記送信対象の装置に対して前記送信データを送信するために要する中継遅延時間、および前記送信対象の装置との間における通信遅延時間が経過した後に判別された前記データを処理する、（１１）に記載の受信装置。
（１３）
前記処理部は、自装置の時間を示す時間情報を前記送信装置に対して送信させ、
前記通信部は、前記時間情報に基づき時間が調整された前記送信装置から送信される前記送信データを受信し、
前記送信データの送信対象として自装置以外の装置が含まれており、かつ前記送信データの送信対象として自装置が含まれている場合、
前記処理部は、
前記送信装置との間における通信遅延時間を算出し、
前記送信対象の装置に対して前記送信データを送信するために要する中継遅延時間、および算出された前記通信遅延時間が経過した後に判別された前記データを処理する、（１１）に記載の受信装置。
（１４）
送信装置と、前記送信装置がユニキャストで送信する送信データの送信対象の受信装置との間で送受信される通信データを受信するステップと、
受信された前記通信データの中から処理に用いるデータを判別するステップと、
処理に用いると判別されたデータを処理するステップと、
を有し、
判別された前記データの処理を行う場合には、前記送信装置および前記受信装置のいずれに対しても応答を行わない、通信方法。
（１５）
送信装置がユニキャストで送信する送信データを受信するステップと、
受信した前記送信データの送信対象を判定するステップと、
前記送信データの送信対象として自装置以外の装置が含まれている場合に、送信対象の装置に対して前記送信データを送信させるステップと、
前記送信データの送信対象として自装置が含まれている場合に、受信された前記送信データの中から処理に用いるデータを判別するステップと、
処理に用いると判別されたデータを処理するステップと、
を有する、通信方法。
（１６）
送信装置と、
前記送信装置がユニキャストで送信する送信データの送信対象の受信装置と、
前記送信装置と前記受信装置との間で送受信される通信データを受信する、１または２以上の通信装置と、
を有し、
前記通信装置それぞれは、
前記通信データを受信する通信部と、
受信された前記通信データの中から処理に用いるデータを判別するデータ判別部と、
処理に用いると判別されたデータを処理する処理部と、
を備え、
判別された前記データの処理を行う場合において、前記処理部は、前記送信装置および前記受信装置のいずれに対しても前記通信部に応答を行わせない、通信システム。